(57)【要約】【課題】密着層型の断熱複合パネルによって既存コンクリート建築物の外壁改修を行うと共に、既存サッシ枠に新規額縁を配置し、額縁が断熱複合パネルＰの通気層の空気貫流を保証し、且つ額縁４Ｆと複合パネルＰを、既存コンクリート躯体Ｃｗの前面の不陸の有無に関係なく、均斉で優れた外観に配置する。【解決手段】内部に通気層ａを備えたセメント板Ｐａと断熱層Ｐｂとの密着層型の外断熱複合パネルＰを張設した外壁ＯＷの開口部４に、額縁４Ｆを構成する雨切６、水切８及び見切７を、共に、前部を、既存コンクリート躯体Ｃｗにあと施工アンカー１５で固定した支持金具９を介して位置調整の下に固定し、後部を、既存サッシ枠５に固定し、且つ雨切６及び水切８が空気孔Ｈ６，Ｈ８を介して複合パネルＰの通気層ａとの空気貫流ａｒを保証する。【選択図】図１
2005139712.tif 000002
【特許請求の範囲】
【請求項１】
内部に通気層（ａ）を備えたセメント板（Ｐａ）と断熱層（Ｐｂ）との密着層型の外断熱複合パネル（Ｐ）を張設した外壁（ＯＷ）の開口部（４）に額縁（４Ｆ）を配置した構造であって、額縁（４Ｆ）を構成する雨切（６）、水切（８）及び見切（７）は、共に、前部を、既存コンクリート躯体（Ｃｗ）にあと施工アンカー（１５）で固定した支持金具（９）を介して前後位置調整の下に固定し、後部を、既存サッシ枠（５）に固定し、且つ、雨切（６）及び水切（８）が空気孔（Ｈ６，Ｈ８）を介して複合パネル（Ｐ）の通気層（ａ）の空気貫流（ａｒ）を保証した、通気性外壁（ＯＷ）に於ける額縁の取付構造。
【請求項２】
複合パネル（Ｐ）は、内面に条溝（ａ）を多数並列縦設したセメント板（Ｐａ）の内面に、条溝（ａ）を閉塞しないように、断熱層（Ｐｂ）を層着一体化したものである、請求項１の額縁の取付構造。
【請求項３】
断熱層（Ｐｂ）の幅（Ｗｂ）がセメント板（Ｐａ）の幅（Ｗｏ）より大であり、セメント板（Ｐａ）と断熱層（Ｐｂ）との層着によって、断熱層（Ｐｂ）が、一側端（ＰＬ）では、セメント板（Ｐａ）側端より小寸段差（ｄ１）入り込み、他側端（ＰＲ）では、セメント板（Ｐａ）側端より大寸段差（ｄ２）突出した、請求項２の額縁の取付構造。
【請求項４】
額縁（４Ｆ）の配置位置に対応して短尺化した複合パネル（Ｐ）を開口部（４）の上下に配置し、パネル（Ｐ）の上下左右端では、断熱層（Ｐｂ）とコンクリート躯体（Ｃｗ）との界面隙間（ａｓ）を隙間追従シート（２５）で閉止した、請求項１乃至３のいずれか１項の額縁の取付構造。
【請求項５】
支持金具（９）がアングル鋼片であって、取付辺（９ｓ）をコンクリート躯体（Ｃｗ）にあと施工アンカー（１５）で固定し、且つ、外方に延出する支持辺（９ｐ）に額縁構成部材（６，８，７）を固定した、請求項１乃至４のいずれか１項の額縁の取付構造。
【請求項６】
額縁（４Ｆ）の雨切（６）、水切（８）及び見切（７）は、共に、前部を、支持金具（９）の支持辺（９ｐ）を介して前後調整自在に、後部を、サッシ枠（５）を介して前後調整自在に取付けた、請求項１乃至５のいずれか１項の額縁の取付構造。
【請求項７】
額縁（４Ｆ）の雨切（６）、水切（８）及び見切（７）は、共に、開口部（４）を規定する雨切の下段水平板（６ｄ）、水切の傾斜天板（８ｕ）及び見切の長辺垂直板（７ｄ）の各後端を、サッシ枠（５）に固定した受金具（５３，５４）に前後位置調整してねじ止めした、請求項１乃至６のいずれか１項の額縁の取付構造。
【請求項８】
開口部（４）を規定する、雨切の下段水平板（６ｄ）、水切の傾斜天板（８ｕ）及び見切の長辺垂直板（７ｄ）が、共に、内面に断熱層（６ｅ，８ｅ，７ｅ）を備え、且つ、各雨切（６）、水切（８）及び見切（７）とコンクリート躯体（Ｃｗ）間には現場発泡断熱材（１３）を注入充填した、請求項１乃至７のいずれか１項の額縁の取付構造。
【請求項９】
水切（８）が、傾斜天板（８ｕ）と、先端の立下り板（８ｆ）と、立下り板（８ｆ）下端から後方に屈曲して空気孔（Ｈ８）を配設した水切板（８ａ）と、水切板からの立上り板（８ｂ）と、立上り板から後方へ延出したアンカー片（８ｓ）とを備え、水平片（１０Ｆ）及び立上り片（１０Ｗ）からなる取付ピース（１０）の立上り片（１０Ｗ）を水切の立下り板（８ｆ）内面に当接し、水平片（１０Ｆ）の前部をアンカー片（８ｓ）にねじ止めし、後部を支持金具の支持辺（９ｐ）に前後位置調整してねじ止めした、請求項１乃至８のいずれか１項の額縁の取付構造。
【発明の詳細な説明】
【技術分野】
【０００１】
本発明は、外壁下端の腰水切から外壁上端の笠木まで、外気が外断熱複合パネルの外壁内の通気層を貫流する鉄筋コンクリート外断熱建築物の窓等の外壁開口部に配置した額縁の取付構造に関するものであり、より詳しくは、既存の鉄筋コンクリートの外壁全面を通気性外断熱外壁に改修すると共に、窓等の外壁開口部には、額縁を、額縁の上下に張設する密着層型の外断熱複合パネル内の空気貫流を保証する構造に取付けるものであり、既存の鉄筋コンクリート建築物を、建具枠を含めた外壁全面を改修して外断熱建築物に改修する外壁改良工法に属するものであり、鉄筋コンクリート建築の技術分野に属するものである。
【背景技術】
【０００２】
従来の鉄筋コンクリート建築物での額縁取付構造としては、従来例１（非特許文献１）の図１０に示すものがある。
従来例１の図１０は、コンクリート打放し仕上げ、又は、コンクリート打放しに塗料を塗布したコンクリート躯体とアルミサッシ枠との関係の図であり、図１０（Ａ）はサッシ上枠部を、図１０（Ｂ）はサッシ下枠部を、図１０（Ｃ）はサッシ側枠部を示すものである。
【０００３】
即ち、従来例１は、現在最も普及している鉄筋コンクリート建築物であって、図１０に示す如く、コンクリート躯体の前端凸部の後方で、シーリングの充填隙間を設けた適宜位置にサッシ枠を配置し、コンクリート躯体に埋設したアンカー鉄筋と、サッシ枠に配設した溶接アンカーとを鉄筋棒鋼を介して溶接固着し、サッシ枠に木製枠をねじで連結し、サッシ枠及び木製枠とコンクリート躯体との隙間にモルタルを挿入充填し、アルミサッシ枠とコンクリート躯体との接合部、及びサッシ下枠と水切との接合部にシーリングを充填している。
【０００４】
そして、図１０に示す慣用の鉄筋コンクリート建築物を、密着層型の複合パネルを用いて外断熱建築物へ改修する外壁改良工法としては、図１１に示す従来例２（非特許文献２）がある。
従来例２は、図１１に示す如く、ＧＦＰＣ系外装材（厚さ１３mmの両面ガラス繊維混入火山礫サンド、アッシュフェノール樹脂板）と、断熱材とを接着一体化した密着層型の複合パネル（岩倉化学工業（株）商品名：オーマルＹＢ−Ｒ）を外装材とし、外装材表面には適所にあと施工アンカー用の孔を配設し、断熱層表面には団子状の接着剤を適所に配設して、団子状接着剤で複合パネルをコンクリート躯体に接着し、且つ、外装材表面からあと施工アンカーをコンクリート躯体に打込んで複合パネルを張設している。
【０００５】
そして、窓開口部の上方にあっては、図１１（Ａ）に示す如く、既存サッシ枠前方のコンクリート躯体凸部に、２種類の取付金具をあと施工アンカーで締着固定し、該固定取付金具にアルミ製の雨切を当接してねじ締着している。
また、窓開口部の下方にあっては、図１１（Ｂ）に示す如く、既存サッシ下枠に配置した既存水切に、新規の水切を載置してねじで締着固定している。
そして、雨切、水切、見切を配設後に、複合パネルをコンクリート躯体に張設し、複合パネルと雨切、水切、見切との隙間にバッカーを挿入してシーリングを充填し、サッシ枠と雨切、水切、見切の接合部にもシーリングを施している。
【０００６】
【非特許文献１】昭和５６年１０月２６日、（株）彰国社編、発行、第１版、第７刷「新訂建築施工図の描きかた」コンクリート躯体工事の図面の項、第２８頁第３３図、
【非特許文献２】岩倉化学工業（株）のパンフレット「オーマルＹＢ−Ｒ」の後貼施工要領書
【発明の開示】
【発明が解決しようとする課題】
【０００７】
従来例２の外壁改良工法は、従来例１の鉄筋コンクリート建物を密着層型の断熱複合パネルによって外断熱建築物に改修するものであり、密着層型のパネルを用いれば、通気層型、密着空気層型、二重壁型等の外断熱工法に比してコスト面で有利ではあるが、密着層型パネル特有の、外装材と断熱材との境界面に内部結露（界面結露）を発生して断熱機能低下を生ずる問題がある。
しかも、外装材は、日射熱による高温化と夜間冷却でヒートストレスを受けて劣下する問題がある。
【０００８】
また、従来例２の外壁改修工法は、既存サッシ及びコンクリート躯体をそのままにして額縁を取付けるものであるが、既存コンクリート躯体の凸部は、コンクリート打設時の充填精度が悪くて均斉な形態でないため、該コンクリート躯体凸部に取付ける雨切の精度が出せずに美観を損なうこととなり、水切にあっても、溶接による歪み、施工誤差による勾配不陸を生ずることとなる。
そして、額縁を構成する雨切、水切、見切を個々に配設するため、ねじり、反りが生ずる恐れがあり、パネル面より突出する額縁の前面を同一レベルに施工するのは、煩雑、且つ困難な作業である。
【０００９】
しかも、各雨切、水切、見切の前部には固定点がないため、施工中及び耐用中に額縁構成材が前のめりとなり、後部の締着ねじに曲げ応力が作用して、額縁にねじれを生ずる恐れもある。
そして、シーリングが、額縁の反り、ねじれによる破断、或いは経年劣下することにより、外気が複合パネルと額縁との隙間から空気層に流入して複合パネルの断熱機能低下を生ずる問題や、雨水の浸入の問題がある。
【課題を解決するための手段】
【００１０】
本発明は、例えば図１乃至図３に示す如く、内部に通気層ａを備えたセメント板Ｐａと断熱層Ｐｂとの密着層型の外断熱複合パネルＰを張設した外壁ＯＷの開口部４に額縁４Ｆを配置した構造であって、額縁４Ｆを構成する雨切６、水切８及び見切７は、共に、前部を、既存コンクリート躯体Ｃｗにあと施工アンカー１５で固定した支持金具９を介して前後位置調整の下に固定し、後部を、既存サッシ枠５に固定し、且つ、雨切６及び水切８が空気孔Ｈ６，Ｈ８を介して複合パネルＰの通気層ａの空気貫流ａｒを保証した、通気性外壁ＯＷに於ける額縁の取付構造である。
【００１１】
尚、雨切６、水切８、見切７等の「前部」「後部」とは、建物外側から見た表現であり、例えば、図１（Ａ）では、上段水平板６ｕと支持金具９の取付けは、前部の取付けに相当し、下段水平板６ｄのサッシ枠５への取付けは、後部の取付けに相当する。
また、支持金具９は、あと施工アンカーでコンクリート躯体Ｃｗに打設固定し、且つ、額縁構成部材の固定出来るものであれば良く、典型的には、アングル鋼材である。
【００１２】
本発明は、既存コンクリート建築物の外壁改良工法であるため、既存アルミサッシ枠５は、姿勢レベルが比較的に均斉であるが、既存コンクリート躯体Ｃｗの外面は、建築時の型枠精度等により各所に不陸が存在する。
しかし、外壁改良工法としては、外壁ＯＷの前面を均斉に保つことが美観上重要である。
そして、既存コンクリート躯体Ｃｗへの外壁パネル（外断熱複合パネル）の張設基準は、コンクリート躯体Ｃｗの最も突出したレベルを基準にするのが、コンクリート躯体Ｃｗと複合パネルＰ間の好ましくない界面隙間ａｓを最小とするために必要である。
【００１３】
従って、本発明の額縁の取付構造にあっては、コンクリート躯体Ｃｗの不陸の多寡に関わりなく、雨切６にあっては、空気孔Ｈ６からのパネル内通気層ａへの空気貫流ａｒが保証出来、水切８にあっては、パネル内通気層ａからの空気孔Ｈ８への空気貫流ａｒが保証出来、複合パネルＰの内部結露（断熱層Ｐｂとセメント板Ｐａとの界面結露）が抑制出来ると共に、複合パネルＰ内の空気貫流ａｒによってセメント板Ｐａのヒートストレス劣下も抑制出来る。
【００１４】
また、コンクリート躯体Ｃｗ前面の部分不陸も、複合パネルＰとコンクリート躯体Ｃｗとの界面隙間ａｓの多寡によって吸収出来、コンクリートＣｗに固定した支持金具９への額縁部材（雨切、水切、見切）の前後位置調整での取付けにより、額縁の取付け、及び複合パネルＰの均斉な張設が出来る。
しかも、雨切、水切、見切は前後２点支持となって、反りやねじりの生じ難い保形性額縁となる。
【００１５】
従って、コンクリート躯体Ｃｗの前面に不陸の存在するコンクリート建築物にあっても、本発明の外壁改良手段によれば、コンクリート躯体Ｃｗ前面の不陸凸部への斫り作業が軽減化出来て作業性が向上し、額縁によって外壁パネル内の空気貫流の保証された、高品質の通気性外壁に改修出来る。
【００１６】
また、本発明の額縁取付構造にあっては、複合パネルＰは、図８に示す如く、内面に条溝ａを多数並列縦設したセメント板Ｐａの内面に、条溝ａを閉塞しないように断熱層Ｐｂを層着一体化したものが好ましい。
この場合、条溝ａの「閉塞」の意は、図８（Ｂ）の如く、断熱層Ｐｂが条溝ａ内に入り込まないこと、即ち、断面視で、セメント板Ｐａと断熱層Ｐｂとの接着界面に、条溝ａがセメント板Ｐａの成形形態で存在することを意味し、断熱層Ｐｂとして成形断熱板を採用し、セメント板Ｐａの各条溝ａ間のリブＲ表面に接着一体化すれば、条溝ａを閉塞しないでセメント板Ｐａと断熱層Ｐｂとの層着一体化が出来る。
【００１７】
従って、該パネルＰにあっては、セメント板Ｐａと断熱層Ｐｂとが密着一体化した密着層型の外断熱複合パネルでありながら、パネルＰ内には条溝ａが通気層として存在するため、該パネルＰをコンクリート躯体に張設するだけで、コンクリート壁は、通気性の外断熱外壁となり、断熱層Ｐｂは通気層ａによって結露が抑制出来、吸湿による断熱層Ｐｂの断熱機能低下が抑制出来ると共に、通気層ａへの外気の貫通空気流ａｒによって、セメント板Ｐａの日射による高温化でのヒートストレス劣下も抑制出来る。
そして、額縁構造が通気性外壁のパネルＰ内の空気貫流ａｒを阻止しないため、耐久性のある高性能な通気性外断熱外壁となる。
【００１８】
また、本発明に用いる複合パネルＰにあっては、断熱層Ｐｂの幅Ｗｂがセメント板Ｐａの幅Ｗｏより大であり、セメント板Ｐａと断熱層Ｐｂとの層着によって、断熱層Ｐｂが、一側端ＰＬでは、セメント板Ｐａ側端より小寸段差ｄ１入り込み、他側端ＰＲでは、セメント板Ｐａ側端より大寸段差ｄ２突出したものが好ましい。
この場合、典型的には、小寸段差ｄ１は１０mm、大寸段差ｄ２は２０mmである。
【００１９】
複合パネルＰの側端の一方に小寸段差ｄ１が、他方に大寸段差ｄ２が存在するため、各複合パネルＰを横方向に衝合当接して外壁を形成すれば、各パネルＰの断熱層相互は当接形態でありながら、各セメント板Ｐａ間には、図９に示す如く、大寸段差ｄ２−小寸段差ｄ１、の接続目地ＬＰが形成出来、しかも、各パネルの断熱層Ｐｂは相欠け接続になって、断熱層Ｐｂの接続界面はセメント板Ｐａ面で閉止された形態となり、外部空気の接続界面からの流入が抑制出来、また、コンクリート打設時ののろ（水とセメントの混合物）漏れが抑制出来、断熱層Ｐｂの断熱機能低下は抑制出来る。
【００２０】
従って、本発明の額縁の取付構造を備えた通気性外壁は、密着型パネルでありながら、通気層ａによってパネル内部結露が防止出来、断熱機能低下が抑制出来ると共に、各パネルＰの接続部での断熱機能低下も抑制出来、額縁配置部位でもパネルＰ内の条溝（通気層）ａ内の貫流空気ａｒが保証された、高性能な通気性外断熱外壁となる。
【００２１】
また、本発明にあっては、例えば図９に示す如く、額縁４Ｆの配置位置に対応して短尺化した複合パネルＰを開口部４の上下に配置し、パネルＰの上下左右端では、図１乃至図３の如く、断熱層Ｐｂとコンクリート躯体Ｃｗとの界面隙間ａｓを隙間追従シート２５で閉止するのが好ましい。
この場合、隙間追従シート２５は、隙間ａｓを空密的に閉止出来るものであれば良く、典型的には、断熱性、気密性、防湿性、非吸水性に優れた幅２０mm、厚さ２mmのポリエチレン製形状回復発泡体のソフトロン（積水化学（株）商品名）である。
【００２２】
該ソフトロンは、張着後１日経過でシートが発泡し、パネル断熱層Ｐｂとコンクリート躯体Ｃｗ間の界面隙間ａｓを閉止する。
そして、界面隙間ａｓ自体は、コンクリート躯体Ｃｗの不陸によって各部位で多寡の差はあるが、複合パネルＰの上端部（図２）、下端部（図１）、側端部（図３）で隙間追従シート２５が閉止するため、パネル断熱層Ｐｂとコンクリート躯体Ｃｗ間の界面隙間ａｓは密閉空気層となり、空気断熱機能を奏する。
従って、既存コンクリート建築物も、コンクリート躯体Ｃｗ前面の不陸に関係なく、外壁面が面一になった高品質の外断熱通気性外壁のコンクリート建築物に改修出来る。
【００２３】
また、本発明にあっては、支持金具９が、図５（Ａ）に示す如く、アングル鋼片であって、取付辺９ｓをコンクリート躯体Ｃｗにあと施工アンカー１５で固定し、且つ、外方に延出する支持辺９ｐに額縁構成部材、即ち、雨切６、水切８、見切７を固定するのが好ましい。
支持金具９は、既存コンクリート躯体Ｃｗにあと施工アンカー１５で打設固定するが、コンクリート躯体Ｃｗは各部位で程度差のある不陸を有する。
【００２４】
そして、複合パネルＰは、コンクリート躯体Ｃｗ前面Ｓｃと断熱層Ｐｂ間の界面隙間ａｓでの不陸吸収により外面を面一に配置出来、雨切６、水切８、見切７等の額縁構造部材は、支持金具９の支持辺９ｐに前後位置調整の下にねじ固定して不陸が吸収出来る。
従って、既存のサッシ枠を基準とする額縁構造部材と、既存のコンクリート躯体Ｃｗの不陸に追従しないで面一に張設する複合パネルＰと、コンクリート躯体Ｃｗの不陸に追従した位置に固定する支持金具９との配置固定が、外観上均斉に実施出来る。
しかも、額縁構造部材は、前部での支持金具９の支持辺９ｐへの固定により、ねじれ、反り等の抑制出来た保形性のある取付構造となる。
【００２５】
また、本発明にあっては、額縁４Ｆの雨切６、水切８及び見切７は、共に、前部を、支持金具９の支持辺９ｐを介して前後調整自在に、後部を、サッシ枠５を介して前後調整自在に取付けるのが好ましい。
既存コンクリート建築物にあって、開口部４に存在する各既存サッシ枠５は、比較的に均斉なレベルで配置されてはいるが、コンクリート躯体Ｃｗ表面は、通常かなりの凹凸不陸が存在する。
【００２６】
従って、額縁４Ｆの各雨切６、水切８、及び見切７でのサッシ枠５に対する前後調整自在の固定は、既存サッシ枠５の傾き等の不陸に関わらず額縁４Ｆが所望姿勢でサッシ枠５に固定出来、コンクリート躯体Ｃｗ前面Ｓｃの不陸に関わらず、外表面を面一に張設する複合パネルＰの前面に対し、額縁４Ｆの前面突出寸法を均斉とすることが可能となり、高品質で均斉な外観を呈する外壁の形成が可能となる。
【００２７】
また、本発明にあっては、額縁４Ｆの雨切６、水切８及び見切７は、共に、開口部４を規定する雨切の下段水平板６ｄ、水切の傾斜天板８ｕ及び見切の長辺垂直板７ｄの各後端を、サッシ枠５に固定した受金具５３，５４に前後位置調整してねじ止めするのが好ましい。
額縁４Ｆは、工場又は現場で組立てた後、開口部４に嵌合固定するが、予め既存サッシ枠５に、図５（Ｄ）の如き水切用受金具５３、図５（Ｅ）の如き雨切及び見切用の受金具５４を固定するだけで、額縁４Ｆの各後端部のサッシ枠５への摺動調整の下での取付けが可能となり、各額縁４Ｆの各サッシ枠５への微調整の下での取付作業が容易となる。
【００２８】
また、本発明にあっては、図１乃至図３に示す如く、開口部４を規定する、雨切の下段水平板６ｄ、水切の傾斜天板８ｕ及び見切の長辺垂直板７ｄが、共に、内面に断熱層６ｅ，８ｅ，７ｅを備え、且つ、各雨切６、水切８及び見切７とコンクリート躯体Ｃｗ間には現場発泡断熱材１３を注入充填するのが好ましい。
この場合、額縁４Ｆ構成部材への断熱層６ｅ，８ｅ，７ｅの付与は、額縁４Ｆの組立て前に吹付け等で付設すれば良い。
勿論、下段水平板６ｄの空気孔Ｈ６部では断熱層６ｅにも空気孔Ｈ６を連通させる。
通常、外断熱コンクリート建築物にあっては、開口部（窓）４は熱抵抗が小さくて断熱機能上最大の欠陥となるが、本発明では、開口部４の全周の内側に断熱層６ｅ，８ｅ，７ｅが存在し、コンクリート躯体Ｃｗと額縁４Ｆの隙間も現場発泡断熱材１３が存在するため、開口部４での断熱機能低下を抑制した高性能な外断熱外壁となる。
【００２９】
また、本発明の額縁の取付構造は、水切８が、傾斜天板８ｕと、先端の立下り板８ｆと、立下り板８ｆ下端から後方に屈曲して、空気孔Ｈ８を配設した水切板８ａと、水切板からの立上り板８ｂと、立上り板から後方へ延出するアンカー片８ｓとを備え、図５（Ｂ）の如く、水平片１０Ｆ及び立上り片１０Ｗからなる取付ピース１０の立上り片１０Ｗを、図２（Ａ）の如く、水切の立下り板８ｆ内面に当接し、水平片１０Ｆの前部をアンカー片８ｓにねじ止めし、後部を支持金具の支持辺９ｐに前後位置調整してねじ止めするのが好ましい。
【００３０】
この場合、取付ピース１０は、支持金具９の配置位置にのみ配置するものである点、立上り片１０Ｗが水切立下り板８ｆを支承する点、水平片１０Ｆが複合パネルＰの通気層ａ上に位置する点より、支持金具９の幅Ｗ９（標準：４０mm）と同等とするのが好都合である。
【００３１】
従って、水切８の先端部は、水切板８ａ、立上り板８ｂ及びアンカー片８ｓによる屈曲形態で保形性を具備し、且つ、立下り板８ｆが内面からの取付ピース立上り片１０Ｗの当接支承を受けるため、たわみ、や反りの生じない剛性も具備し、且つ、水平のアンカー片８ｓから立上り板８ｂを介して下方に突出した水切板８ａによって、十分な水切作用と、雨水の水切８内への浸入阻止とを保証し、パネル内通気層ａからの外方への空気流ａｒを保証する。
【発明の効果】
【００３２】
本発明によれば、既存コンクリート建築物に対し、コンクリート躯体Ｃｗ前面Ｓｃの不陸の多寡に関わらず、面一、且つ、均斉に外壁複合パネルＰが張設出来、額縁４Ｆも均斉に配置出来、しかも、各パネルＰ内の通気層ａへの外部からの空気貫流ａｒが全外壁パネルＰで保証出来る。
従って、本発明の額縁取付構造を備えた外壁ＯＷは、従来例２同様の、コスト面では有利な密着層型の外断熱複合パネルを採用しながら、腰水切から笠木まで通気が保証されて、内部結露の発生がなく、外装セメント板Ｐａのヒートストレスによる劣下も抑制出来、且つ、均斉な外観を有する高品質の通気性外壁となる。
【００３３】
また、額縁構成部材の雨切、水切、見切共、前部と後部の２点支持となるため、額縁４Ｆは、たわみ、ねじれや反りも発生しないものとなり、美観及び耐久性の優れたものとなる。
また、額縁構造も、各構成部材の開口部４を規定する面材が内面に断熱層６ｅ，８ｅ，７ｅを備えていること、及び額縁４Ｆとコンクリート躯体Ｃｗとの隙間に現場発泡断熱材１３が容易、且つ十分に充填出来るため、従来の外断熱外壁に於ける額縁構造よりも、はるかに断熱性の優れたものが容易に得られる。
【発明を実施するための最良の形態】
【００３４】
〔雨切（図４（Ａ））〕
雨切６は、一般厚が２mmのアルミ板材の折曲加工材長尺物であって、断面形状は、図４（Ａ）に示す如く、幅Ｗ６´が９０mmの上段水平板６ｕと、高さｈ６が２５mmの立下り板６ｆと、幅Ｗ６が１６５mmの下段水平板６ｄとを備え、下段水平板６ｄの後端には、高さｈ６´が１５mmの立上り板６ｐを介して幅５mmのアンカー片６ｓを水平後方に延出したものであり、上段水平板６ｕには、幅８mm、長さ２０mmの前後方向長孔形態の空気孔Ｈ６を１００mm間隔で穿設し、アンカー片６ｓにも２００mm間隔でねじ孔（径２．５mm）Ｓｈを穿設し、下段水平板６ｄの内面には１０mm厚の発泡ウレタン層６ｅを施したものである。
【００３５】
〔水切（図４（Ｂ））〕
水切８は、一般厚２mmのアルミ板材長尺物であって、断面形状は、図４（Ｂ）の如く、勾配高さが１５mmで、幅Ｗ８が１９５mmの傾斜天板８ｕと、高さｈ８が３０mmの立下り板８ｆと、立下り板８ｆから後方に、幅Ｗ８´が１５mmの水切板８ａと、高さｈ８´が１５mmの立上り板８ｂと、立上り板８ｂから水平後方に延出する幅５mmアンカー片８ｓとを備え、水切板８ａには１００mm間隔で空気孔Ｈ８を穿設し、傾斜天板８ｕ内面には、立下り板８ｆから１６０mm後方まで１０mm厚の発泡ウレタン層８ｅを施したものである。
【００３６】
また、図５（Ｄ）に示す如く、鋼製１．６mm厚で、幅Ｗ１０が４０mm、長さＬ１０が９５mm、高さｈ１０が１０mmの、アングル鋼材の水平片１０Ｆと立上り片１０Ｗとからなる取付ピース１０を、立上り片１０Ｗを水切立下り板８ｆ内面に当接し、水平片１０Ｆを水切アンカー片８ｓに当接ねじ固定する。
【００３７】
〔見切（図４（Ｃ））〕
見切７は、一般厚２mmのアルミ板材長尺物であって、断面形状は、図４（Ｃ）に示す如く、幅Ｗ７´が９０mmの短尺垂直板７ｕと、長さＬ７が２５mmの前端板７ｆと、幅Ｗ７が１６５mmの長辺垂直板７ｄと、長さＬ７´が１５mmの後端板７ｐと幅５mmの後方延出アンカー片７ｓとを備え、アンカー片７ｓには２００mm間隔にねじ孔（径２．５mm）Ｓｈを穿設し、長辺垂直板７ｄの内面に１０mm厚の発泡ウレタン層７ｅを付設したものである。
【００３８】
〔支持金具（図５（Ａ））〕
支持金具９は、既存コンクリート躯体にあと施工アンカーで打設固定した後、雨切、水切、見切を固定支持するものであって、図５（Ａ）に示す如く、１．６mm厚鋼の不等辺山形状折曲部材であり、幅Ｗ９が４０mm、長さＬｓが７５mmのコンクリートへの取付辺９ｓと、長さＬｐが８０mmの額縁支持辺９ｐとからなり、取付辺９ｓには、あと施工アンカー（商品名：Ｐレスアンカー（径４mm）サンコーテクノ（株）製）挿入用の径４．５mmの孔Ｈ９を備えたものである。
【００３９】
〔水切用の受金具（図５（Ｂ））〕
水切用受金具５３は、水切後端とサッシ枠５とを接続する１．６mm厚の鋼製長尺物であって、断面形状は、図５（Ｂ）に示す如く、高さｈ５３が１０mmのサッシ当接板５３ｐと、幅Ｗ５３が３５mmで、水切の傾斜天板８ｕと同勾配の傾斜板５３ｕとを備えたものであり、当接板５３ｐを下枠突出片５ｓに当接ねじ止めし、傾斜板５３ｕ上に水切傾斜天板８ｕを載置し、摺動位置決めしてねじ止めするものである。
【００４０】
〔雨切、見切用受金具（図５（Ｃ））〕
受金具５４は、鋼製１．６mm厚の不等辺山形部材であり、高さｈ５４が１２mmのサッシ当接板５４ｗと、幅Ｗ５４が３５mmの額縁当接板５４ｆとを備えたものである。
そして、雨切６とサッシ上枠５ａとの連結固定、又は見切７とサッシ側枠５ｂとの連結固定に際しては、サッシ当接板５４ｗを、図１（Ｂ）、図３（Ｂ）の如く、サッシ５ａ，５ｂに当接ねじ固定し、額縁当接板５４ｆを、雨切後端部のアンカー片６ｓ、又は見切後端部のアンカー片７ｓと当接摺動調整してねじ固定するものである。
【００４１】
〔外断熱複合パネル（図８）〕
図８は外断熱複合パネル説明図であって、（Ａ）は、全体斜視図、（Ｂ）は、（Ａ）のＢ−Ｂ断面図、（Ｃ）は（Ｂ）の部分拡大図である。
図８に示す如く、外断熱複合パネルＰは、セメント板Ｐａと断熱層Ｐｂとの密着層型であり、セメント板Ｐａは、厚さＴ１が２５mm、幅Ｗｏが４９０mmであって、内面には、縦方向に並設した条溝ａをリブＲ（Ｒ１，Ｒ２）間に備えた形態に、セメント、硅酸質原料、及び繊維質原料を混合して押出成形したものであり、長さは適用建築物に応じて決定する。
【００４２】
また、断熱層Ｐｂは、幅Ｗｂがセメント板幅Ｗｏより１０mm大な５００mmで、厚さＴ２が７５mmの発泡成形断熱材である。
そして、セメント板Ｐａに対する、断熱層Ｐｂの一体化層着は、断熱層Ｐｂがセメント板Ｐａの、一側端ＰＬでは１０mmの小寸段差ｄ１入り込み、他側端ＰＲでは２０mmの大寸段差ｄ２突出する形態に接着剤を介して接着する。
【００４３】
〔額縁の組立て（図６、図７）〕
図６は、額縁４Ｆの組立て後の一部切欠斜視図であり、図７（Ａ）は、図６の断面Ａ−Ａ視図であり、図７（Ｂ）は、図６の断面Ｂ−Ｂ視図であり、図７（Ｃ）は、図６の矢印Ｃ視図であり、図７（Ｄ）は、図６の矢印Ｄ視図である。
尚、図６、図７にあっては、構造理解を容易とするため、各額縁構造材に於ける付設発泡断熱材層６ｅ，８ｅ，７ｅは省略している。
図７（Ａ）に示す如く、雨切６に於いては、下段水平板６ｄの両端上面に鋼製１．６mm厚で、１辺が１５mmの等辺山形状１２５mm長のアングル材５０Ｌを、雨切立上り板６ｐから前方へ配置し、アングル材５０Ｌの水平辺に塗布した接着剤で固着する。
【００４４】
また、見切には、図７（Ａ）、（Ｂ）に示す如く、見切７の上下端に鋼製１．６mm厚で、溝形状の水平辺の幅が２３．５mm、垂直辺の高さが１５mmで１２５mm長のチャンネル材５１Ｌを、見切後端板７ｐから前方に配置し、長辺垂直板７ｄとチャンネル材５１Ｌの内側垂直辺とを、チャンネル材の内側垂直辺に塗布した接着剤で接着固定する。
【００４５】
また、水切８には、図７（Ｂ）に示す如く、傾斜天板８ｕの両端下面に、鋼製１．６mm厚で１辺が１５mmの等辺山形状で１６５mm長のアングル材５２Ｌを、水切立下り板８ｆから後方へと配置し、傾斜天板８ｕとアングル材５２Ｌとを、アングル材５２Ｌの水平辺に塗布した接着剤で固着する。
【００４６】
次いで、雨切６の両端には、図７（Ｃ）の如く、アルミ製２mm厚で高さｈ５０が２５mmで幅ｗ５０´´が４０mmの前方閉止部５０Ｃ´と、幅Ｗ５０´が１２５mmで下段水平板６ｄの上方へ１５mm（ｈ５０´）、下方へ１５mm（ｈ５０´´）突出する連結部５０Ｃ´´とからなる小口塞板５０Ｃを、図６の如く、前方の閉止部５０Ｃ´にあっては、上段水平板６ｕ、立下り板６ｆ、下段水平板６ｄの各両端縁辺に接着剤を塗布し、後方の連結部５０Ｃ´´にあっては、下段水平板６ｄ両端の上面に固着したアングル材５０Ｌの垂直辺に接着剤を塗布して雨切６に固着する。
勿論、連結部５０Ｃ´´では、アングル材５０Ｌの垂直辺にねじＳで固定しても良い。
【００４７】
また、水切８の両端部にも、図６に示す如く、小口塞板５２Ｃを固着する。
小口塞板５２Ｃは、図７（Ｄ）に示す如く、水切８の側端に垂直当接して、傾斜天板８ｕの、上方にはｙ８（１０mm）を、下方にはｙ８´（１５mm）突出させる連結部５２Ｃ´´と、立下り板８ｆ前方にはｙ８（１０mm）を、立上り板８ｂの後方にもｙ８（１０mm）突出させる前端部５２Ｃ´とから成り、小口塞板５２Ｃの水切８両端部への固着は、水切８の、立下り板８ｆ、水切板８ａ、立上り板８ｂの両端縁に接着剤を塗布し、図７（Ｂ）に示す、水切の傾斜天板８ｕの下面に接着したアングル材５２Ｌの垂直片に接着剤を塗布して、小口塞板５２Ｃを接着する。
勿論、アングル材５２の垂直辺へねじＳで固定しても良い。
【００４８】
次いで、雨切６が見切７に冠着する形態で、雨切６の下段水平板６ｄより下方に突出する小口塞板５０Ｃの下方を、見切７の短辺垂直板７ｕ及びチャンネル材５１の垂直辺に当接し、接着剤、又はねじで固着し、雨切６と見切７とを連結する。
そして、水切８と見切７の固着は、見切７を水切８の傾斜天板８ｕに載置した形態で、見切７の短辺垂直板７ｕ及びチャンネル材５１の垂直辺を、水切８に固着した小口塞板５２Ｃに接着剤、又はねじで固着して水切８と見切７とを一体化し、雨切６、見切７、水切８を一体化剛構造の額縁４Ｆとする。
【００４９】
〔額縁の取付け（図１〜図３）〕
既存コンクリート建築物の額縁をコンクリート躯体から撤去し、コンクリート躯体Ｃｗに既存サッシ枠を露出する。
即ち、図１０に示す従来のコンクリート建築物にあっては、額縁の撤去と共に、コンクリート躯体の凸部もカッターで切り目を入れて斫り取り、モルタルもシーリング幅でシーリングと共に撤去し、既存コンクリート建築物の開口部４を図１乃至図３に示すコンクリート躯体Ｃｗとサッシ枠５の形態とする。
【００５０】
次いで、サッシ枠５の四周位置に、支持金具９を４５０mm間隔以下で当接し、予めコンクリート躯体Ｃｗに穿設した、径３．４mm、深さ２２mmのアンカー挿入用孔Ｈ１５に、引張最大荷重が１８０kgf／本の径４mm、長さ２５mmのあと施工アンカー１５を、支持金具の取付辺９ｓの挿入孔Ｈ９を介して打設貫入固定する。
【００５１】
次いで、サッシ上枠５ａの前面には、図１（Ｂ）の如く、受金具５４のサッシ当接板５４ｗをねじ固定し、サッシ側枠５ｂの前面には、図３（Ｂ）の如く、受金具５４のサッシ当接板５４ｗをねじ固定する。
また、サッシ下枠５ｃ前面の下方突出片５ｓには、水切用受金具５３のサッシ当接板５３ｐをねじ固定する。
【００５２】
次いで、組立てた額縁４Ｆを開口部４に嵌入して、雨切６の上段水平板６ｕを支持金具９の支持辺９ｐに載置し、見切７の短辺垂直板７ｕと支持金具９の支持辺９ｐと当接し、水切８に付設固定した取付ピース１０の水平片１０Ｆを支持金具９の支持辺９ｐに載置する。
そして、雨切アンカー片６ｓと見切アンカー片７ｓとを、それぞれサッシ枠５に付設した受金具５４の額縁当接板５４ｆに当接し、水切８の傾斜天板８ｕ後端をサッシ枠に付設した水切受金具５３の傾斜板５３ｕに載置する。
【００５３】
そして、額縁４Ｆのコンクリート躯体に対する前後位置を微調整して、雨切６にあっては、上段水平板６ｕと支持金具９の支持辺９ｐとのねじ止着で前部固定を、アンカー片６ｓと、サッシ枠側の受金具５４の額縁当接板（当接辺）５４ｆとのねじ止着で後部固定を達成し、見切７にあっては、短辺垂直板７ｕと支持辺９ｐとのねじ止着で前部固定を、アンカー片７ｓと、サッシ側の当接辺５４ｆとのねじ止着で後部固定を達成し、水切８にあっては、付設取付ピース１０と、支持金具９の支持辺９ｐとのねじ止着で前部固定を、傾斜天板８ｕの後端と、サッシ側の水切受金具５３の傾斜板５３ｕとのねじ止着で後部固定を達成する。
【００５４】
そして、額縁４Ｆの四周で、額縁４Ｆとコンクリート躯体Ｃｗとの隙間に現場発泡ウレタン１３を注入充填する。
この場合、吹付工具として、ディスペンサー（日本ヒルティ（株）商品名）に、一液性ポリウレタンのフォーム管（容量：７５０ml）を、アダプターを介して取付け、ディスペンサーの吹出調整ノブの調整の下に、空隙からウレタンを吐出すれば、コンクリート躯体Ｃｗの前端から突出しない状態で隙間スペースへの適量のウレタン注入が出来る。
【００５５】
〔断熱複合パネルの張着〕
外断熱複合パネルＰは、額縁４Ｆを既存コンクリート躯体Ｃｗに配置後張設するものであり、コンクリート躯体Ｃｗの前面の不陸に関係なく外面が面一となるように、パネルＰの左右接続はパネルＰ側端縁の相欠け構造（段差ｄ１，ｄ２）によって、両側パネルの断熱層Ｐｂ当接界面への外気侵入を抑制し、断熱層Ｐｂ間の断熱機能低下が生じないように配置する。
【００５６】
そして、開口部４の上下の複合パネルＰは、所定寸法に短寸化したパネルＰであって、コンクリート躯体Ｃｗへの張着は、パネルＰの断熱層Ｐｂに団子状の接着剤２６を付設して押圧接着し、必要個所には、径６mmで引抜最大荷重５５０kgf／本のあと施工アンカー１４（サンコーテクノ（株）商品名：Ｐレスアンカー）の所定本数をパネルセメント板Ｐａ表面からコンクリート躯体Ｃｗに打込んで固定する。
【００５７】
また、パネルＰは、既存コンクリート躯体Ｃｗの前面の不陸に応じて、コンクリート躯体Ｃｗと断熱層Ｐｂとの層間には、多かれ少なかれ界面隙間ａｓを生ずるが、該界面隙間ａｓの下端では、図１（Ａ）に示す如く、隙間追従シート２５を、隙間ａｓの上端では、図２（Ａ）に示す如く、隙間追従シート２５を、界面隙間ａｓの側端では、図３（Ａ）に示す如く、隙間追従シート２５を挟着配置する。
隙間追従シート２５としてはソフトロン（積水化学（株）商品名）を用いるため、２mm厚のシートであるが所定時間経過後に発泡し、隙間ａｓの大小に関わらず所定の隙間閉止が出来る。
従って、隙間追従シート２５で閉止された界面隙間ａｓは密閉空気層ａｓとなり、断熱機能を発揮する。
【００５８】
また、雨切６とパネルＰ下面の間には、プラスチック製で、両側板間に仕切壁を配置した長尺のハニカムバッカー１２ａを配置して、雨切６の下段水平板６ｄ及び上段水平板６ｕの空気孔Ｈ６からのパネル通気層ａ内への空気貫流ａｒを保証すると共に、前面隙間へのシーリング１７ａの充填を容易にする。
また、額縁４ＦとパネルＰとの前部隙間にはシーリング１７ａを施し、額縁４Ｆとサッシ枠５との隙間にはシーリング１７ｂを充填する。
【００５９】
本発明で改修された外壁は、外断熱複合パネルＰが、腰水切２から笠木３まで、条溝（通気層）ａが連通形態であり、開口部４にあっても、額縁４Ｆの、雨切６が空気孔Ｈ６を、水切８が空気孔Ｈ８を備えているため、図９に示す如く、腰水切２から笠木３まで断熱複合パネルＰ内を空気流ａｒが貫流し、額縁４Ｆ部にあっても、水切８にあっては、下方の空気流ａｒが水切８の空気孔Ｈ８から外方へ流出し、雨切６にあっては、雨切６の空気孔Ｈ６から入り込んだ空気流ａｒが、上方の水切８又は笠木３から放出するものとなり、密着層型の複合パネルＰでありながら、外壁ＯＷのパネルＰ全面が均斉な通気性を備えて内部結露がなく、且つ、セメント板Ｐａのヒートストレス劣下のない高性能、且つ耐久性のある外壁となる。
【００６０】
しかも、額縁４Ｆ及び複合パネルＰは、それぞれ取付位置の微調整が可能であるため、既存コンクリート躯体Ｃｗが前面Ｓｃに不陸があっても、また、既存サッシ枠５が若干の不陸を生じていても、額縁４Ｆの取付時にも、複合パネルＰの張着時にも、前後位置調整が可能であるため、既存コンクリート建築物に於ける外断熱建物への外壁改修であるにも関わらず、均斉、且つ外観の優れた外壁構造が提供出来る。
【００６１】
〔変形例〕
図５（Ｆ）は、水切８の変形例図である。
即ち、該変形水切８´は、図４（Ｂ）の水切８の傾斜天板８ｕの後端に、ねじ孔Ｓｈを定間隔（標準：２００mm）に備えた立上り板８ｐを形成したものである。
また、図５（Ｅ）は、一辺が１２mmで厚さ１．６mmの等辺山形鋼の長尺物であって、サッシ上枠５ａと雨切６、及びサッシ側枠５ｂと見切７との連結に用いる取付金具１１である。
図５（Ｆ）の水切８´を採用すれば、傾斜天板８ｕ後端の立上り板８ｐを直接サッシ下枠５ｃの突出片５ｓ（図２（Ｂ））に当接してねじ止着することとなり、水切８´とサッシ下枠５ｃとの連結時の位置調整は不能となる。
【００６２】
また、水切８´がサッシ下枠５ｃと前後位置調整不能な取付けにあっては、雨切６、見切７もサッシ枠５に対する前後位置調整は不要であり、水切８´を採用する場合にあっては、雨切６、見切７連結用に、図５（Ｃ）の受金具５４に替えて図５（Ｆ）の等辺山形鋼の取付金具１１を採用すれば良い。
そして、既存コンクリート建築物の外壁改修に際しては、開口部４の個々のサッシ枠５自体はコンクリート躯体Ｃｗ前面Ｓｃ程の不陸が存在しない。
【００６３】
そして、コンクリート躯体Ｃｗ前面Ｓｃの不陸には、支持金具９の支持辺９ｐと、各額縁部材（雨切、見切、水切）との止着時の前後位置調整、及び複合パネルＰのコンクリート躯体Ｃｗへの界面隙間ａｓによる前後位置調整によっても、既存コンクリート建物の外壁改修が外観を特に損なうことなく実施出来る。
【００６４】
従って、図５（Ｆ）の変形水切８´は、額縁４Ｆと複合パネルＰとの厳密な意味での均斉配置とはならないが、既存コンクリート建築物のかなりのものは、外観上支障ない程度の額縁４Ｆと複合パネルＰの関係配置が出来て発明の所期の目的が達成出来る。
そして、額縁４Ｆ自体を前後位置調整せずに固定すれば、作業性が向上する。
【産業上の利用可能性】
【００６５】
本発明の額縁取付構造は、新規な額縁４Ｆと密着層型断熱複合パネルＰとの関係構造によって、高品質、且つ耐久性ある外壁構造に改修するものであるため、従来の図１０等のコンクリート建物の外断熱外壁への改修は勿論、従来の、例えば図１１の如き、コンクリート外断熱外壁等、既存のコンクリート外断熱建物に対しても、外壁の高品質化、高耐久化改修に適用出来る。
【図面の簡単な説明】
【００６６】
【図１】本発明の雨切部の説明図であって、（Ａ）は縦断面図、（Ｂ）は（Ａ）のＢ部拡大図である。
【図２】本発明の水切部の説明図であって、（Ａ）は縦断面図、（Ｂ）は（Ａ）のＢ部拡大図である。
【図３】本発明の見切部の説明図であって、（Ａ）は横断面図、（Ｂ）は（Ａ）のＢ部拡大である。
【図４】本発明使用部材の説明図であって、（Ａ）雨切斜視図、（Ｂ）は水切斜視図、（Ｃ）は見切斜視図である。
【図５】本発明使用部材の説明図であって、（Ａ）は支持金具の斜視図、（Ｂ）は水切用の受金具の斜視図、（Ｃ）は雨切、見切用の受金具の斜視図、（Ｄ）は取付ピースの斜視図、（Ｅ）は変形例に採用する取付金具の斜視図、（Ｆ）は変形例水切の斜視図である。
【図６】本発明の額縁の組立形態の一部切欠斜視図である。
【図７】本発明の額縁の説明図であって、（Ａ）は図６Ａ−Ａ視断面図、（Ｂ）はＢ−Ｂ視断面図、（Ｃ）は図６の矢印Ｃ視図、（Ｄ）は図６の矢印Ｄ視図である。
【図８】本発明に用いるパネルの説明図であって、（Ａ）は全体斜視図、（Ｂ）は（Ａ）のＢ−Ｂ断面図、（Ｃ）は（Ｂ）の部分拡大図である。
【図９】本発明を適用したコンクリート建物外壁の斜視図である。
【図１０】従来例１の説明断面図であって、（Ａ）はサッシ上枠部の縦断面図、（Ｂ）はサッシ下枠部の縦断面図、（Ｃ）はサッシ側枠部の横断面図である。
【図１１】従来例２の説明図であって、（Ａ）は雨切部の縦断面図、（Ｂ）は水切部の縦断面図である。
【符号の説明】
【００６７】
１      基礎
２      腰水切
３      笠木
４      開口部（窓）
５      サッシ枠（アルミサッシ枠）
５ａ    サッシ上枠（サッシ枠、上枠）
５ｂ    サッシ側枠（サッシ枠、側枠）
５ｃ    サッシ下枠（サッシ枠、下枠）
６      雨切
６ｄ    下段水平板
６ｅ，７ｅ，８ｅ    発泡ウレタン層（断熱層）
６ｆ    立下り板
６ｐ    立上り板
６ｓ    アンカー片
６ｕ    上段水平板
７      見切
７ｄ    長辺垂直板
７ｆ    前端板
７ｐ    後端板
７ｓ    アンカー片
７ｕ    短辺垂直板
８，８´  水切
８ａ    水切板（水切り板）
８ｂ，８ｐ    立上り板
８ｆ    立下り板
８ｓ    アンカー片
８ｕ    傾斜天板
９      支持金具
９ｐ    支持辺（当接辺）
９ｓ    取付辺
１０    取付ピース
１０Ｆ  水平片
１０Ｗ  立上り片
１１    取付金具
１１Ｆ，１１Ｗ    辺（取付辺）
１２ａ  ハニカムバッカー（バッカー）
１２ｂ  バッカー
１３    現場発泡ウレタンフォーム（現場発泡断熱材）
１４，１５    あと施工アンカー
１７ａ，１７ｂ    シーリング
２５  隙間追従シート
２６  団子状接着剤
５０Ｃ，５２Ｃ    小口塞板
５０Ｌ，５２Ｌ    アングル材
５１Ｌ    チャンネル材
５３      受金具（水切受金具）
５３ｐ    サッシ当接板（当接板）
５３ｕ    傾斜板
５４    受金具（取付金具）
５４ｆ    当接辺（額縁当接板）
５４ｗ    サッシ当接板（当接辺）
ａ      通気層（条溝）
ａｒ    空気流（貫流、空気貫流）
ａｓ    界面隙間（隙間、密閉空気層）
Ｃｗ    コンクリート躯体（コンクリート壁）
ｄ１，ｄ２    段差
Ｈ６，Ｈ８  空気孔
Ｐ      外断熱複合パネル（複合パネル、パネル）
Ｐａ    セメント板（外装材）
Ｐｂ    断熱層
Ｒ，Ｒ１，Ｒ２  リブ
Ｓ      ねじ
Ｓｃ    コンクリート躯体前面（前面）
Ｓｈ    ねじ孔
【図１】
2005139712.tif 000003
【図２】
2005139712.tif 000004
【図３】
2005139712.tif 000005
【図４】
2005139712.tif 000006
【図５】
2005139712.tif 000007
【図６】
2005139712.tif 000008
【図７】
2005139712.tif 000009
【図８】
2005139712.tif 000010
【図９】
2005139712.tif 000011
【図１０】
2005139712.tif 000012
【図１１】
2005139712.tif 000013